(57)【要約】      （修正有）【課題】ＯＦＤＭ信号におけるキャリア間干渉（ＩＣＩ）劣化を、多値数が多い場合にも補償可能な受信装置を提供する。【解決手段】ＦＦＴ処理後の受信信号は、伝搬路推定部１、計算キャリアシンボル選択部６及び簡易ＢＰ処理部７に入力される。伝搬路推定部１は、受信信号に含まれるパイロット信号より伝搬路行列を求め、計算キャリアシンボル選択部６及び簡易ＢＰ処理部７に出力する。計算キャリアシンボル選択部６は、伝搬路行列により受信信号におけるすべてのキャリアシンボルについて伝搬路推定に基づく伝搬路推定値とキャリアシンボル値との積に対する距離を定め、この距離を基に、誤差の少ないキャリアシンボルを選択、候補点を絞り込む。簡易ＢＰ処理部７は、誤差が少ないキャリアシンボルに注目し、確率伝搬アルゴリズム（ＢＰ）法を用い、キャリア間干渉を考慮した事後確率を計算する。【選択図】図３
2015115905.tif 000002
【特許請求の範囲】
【請求項１】
ＯＦＤＭ信号を受信する受信装置であって、
ＦＦＴ処理後の受信信号について、当該受信信号に含まれるパイロット信号より伝搬路行列を求めることにより伝搬路を推定する伝搬路推定部と、
前記受信信号と前記伝搬路行列からすべてのキャリアシンボルについて確率伝搬アルゴリズム（ＢＰ）法によりキャリア間干渉を考慮した事後確率を算出するＢＰ処理部とを備え、
前記ＢＰ処理部は、伝搬路行列により受信信号におけるすべてのキャリアシンボルに対して当該伝搬路推定に基づく事後確率を求めるにあたり、当該すべてのキャリアシンボルの各々の伝搬路推定に基づく期待値として、個々の隣接キャリアに対する干渉成分を考慮して定義された所定の初期値を用いて、すべての隣接キャリアに対する干渉成分を考慮して定義された所定の演算を指定回数で繰り返し行なうことにより、すべての隣接キャリアを考慮した期待値を定め、該期待値についてすべての隣接キャリアを考慮して定義した事後確率をすべてのキャリアシンボルに対して算出するように構成されていることを特徴とする受信装置。
【請求項２】
ＯＦＤＭ信号を受信する受信装置であって、
ＦＦＴ処理後の受信信号について、当該受信信号に含まれるパイロット信号より伝搬路行列を求めることにより伝搬路を推定する伝搬路推定部と、
前記伝搬路行列により前記受信信号におけるすべてのキャリアシンボルについて当該伝搬路推定に基づく伝搬路推定値とキャリアシンボル値との積に対する距離を定め、前記距離を基にキャリアシンボルを選択する計算キャリアシンボル選択部と、
前記受信信号と前記伝搬路行列から当該選択したキャリアシンボルに注目して確率伝搬アルゴリズム（ＢＰ）法によりキャリア間干渉を考慮した事後確率を算出する簡易ＢＰ処理部と、
を備えることを特徴とする受信装置。
【請求項３】
前記簡易ＢＰ処理部は、前記伝搬路行列により前記受信信号における前記選択したキャリアシンボルに注目して当該伝搬路推定に基づく事後確率を求めるにあたり、当該選択したキャリアシンボルの伝搬路推定に基づく期待値として、当該選択したキャリアシンボルに注目して個々の隣接キャリアに対する干渉成分を考慮して定義された所定の初期値を用いて、当該選択したキャリアシンボルに注目してすべての隣接キャリアに対する干渉成分を考慮して定義された所定の演算を指定回数で繰り返し行なうことにより、すべての隣接キャリアを考慮した期待値を定め、該期待値についてすべての隣接キャリアを考慮して定義した事後確率を当該選択したキャリアシンボルに注目したすべてのキャリアシンボルに対して算出するように構成されていることを特徴とする、請求項２に記載の受信装置。
【請求項４】
前記計算キャリアシンボル選択部は、前記距離が小さいものから指定した数のキャリアシンボルを選択する手段を有することを特徴とする、請求項２又は３に記載の受信装置。
【請求項５】
前記計算キャリアシンボル選択部は、前記距離に対して設けられたしきい値を基に、当該しきい値以下のキャリアシンボルを選択する手段を有することを特徴とする、請求項２又は３に記載の受信装置。
【請求項６】
前記計算キャリアシンボル選択部は、前記距離が小さいものから指定した数のキャリアシンボルであり、且つ前記距離に対して設けられたしきい値を基に、当該しきい値以下のキャリアシンボルを選択する手段を有することを特徴とする、請求項２又は３に記載の受信装置。
【発明の詳細な説明】
【技術分野】
【０００１】
本発明は、ＯＦＤＭ（Orthogonal Frequency Division Multiplexing）信号の伝送システムにおける受信装置に関する。
【背景技術】
【０００２】
ＯＦＤＭ信号の伝送システムにおいて、送信装置又は受信装置が移動する場合、ドップラー効果によりＯＦＤＭ信号の各キャリアの中心周波数がそれぞれシフトし、隣接のキャリアの信号と干渉する「キャリア間干渉（ＩＣＩ：Inter Carrier Interference）」が生じうる。ドップラー効果によるキャリアの周波数のシフト量は移動速度に応じて大きくなるため、キャリア間の周波数間隔が狭く、移動速度が大きい場合にキャリア間干渉の影響を受けやすい。
【０００３】
これまでのＯＦＤＭ信号の伝送システムでは、キャリア間隔を広くすることでＩＣＩの影響を抑えている。例えば、ＬＴＥ（Long Term Evolution）ではサブキャリア間隔は１５ｋＨｚ（例えば、非特許文献１参照）、地上デジタル放送のＩＳＤＢ−Ｔ（Integrated Services Digital Broadcasting for Terrestrial）では最も狭いサブキャリア間隔で９９２．０Ｈｚ（＝１／１．００８ｅ−３）である（例えば、非特許文献２参照）。
【０００４】
しかし、次世代の地上デジタル放送では、容量拡大を目的として、変調方式の多値化やＭＩＭＯ（Multiple-Input and Multiple-Output）技術の導入に加えて、ＦＦＴ（Fast Fourier Transform）サイズの拡大によるＧＩ（Guard Interval）比の低減が検討され、４０９６ＱＡＭ（quadrature amplitude modulation）など変調多値数が多いものが検討されている（例えば、非特許文献３参照）。変調多値数が多くなると、例えば４０９６ＱＡＭではサブキャリア間隔は２５０Ｈｚ程度となり、ＩＣＩの影響が無視できなくなることが想定される。
【０００５】
また、英国で採用された地上デジタル放送規格ＤＶＢ−Ｔ２（Digital Video Broadcasting -Terrestrial 2）に関して、ＱＰＳＫ（Quadrature Phase Shift Keying）変調時にＩＣＩを受信装置の信号処理により補償する技法が提案されている（例えば、非特許文献４参照）。
【先行技術文献】
【非特許文献】
【０００６】
【非特許文献１】“3GPP Technical Specification（TS）36シリーズ”、［online］、［平成25年11月21日検索］、インターネット〈URL：http://www.3gpp.org/DynaReport/36-series.htm〉
【非特許文献２】“地上デジタルテレビジョン放送の伝送方式”、標準規格  ARIB STD-B31  2.1版、［online］、平成24年1 2月18日改定、ARIB、［平成25年11月21日検索］、インターネット〈URL：http://www.arib.or.jp/english/html/overview/doc/2-STD-B31v2_1.pdf〉
【非特許文献３】村山他、“次世代地上放送に向けた伝送技術 −UHF帯の2つのチャンネルを用いたSHV伝送実験−”、映像情報メディア学会技術報告、vol.36, no.30, BCT2012-64, 2012年7月12日, p.17-20
【非特許文献４】P. Ochandiano, et al., “Novel ICI Suppressing Receiver for High-Mobility DVB-T2 Reception with Large FFT Modes”, IEEE International Symposium on Broadband Multimedia Systems and Broadcasting (BMSB), mm11-66 (June 2011), ［online］、［平成25年11月21日検索］、インターネット〈URL：http://ieeexplore.ieee.org/xpl/login.jsp?tp=&arnumber=5954944&url=http%3A%2F%2Fieeexplore.ieee.org%2Fxpls%2Fabs_all.jsp%3Farnumber%3D5954944〉
【発明の概要】
【発明が解決しようとする課題】
【０００７】
非特許文献４の技法は、ＤＶＢ−Ｔ２におけるＦＦＴ処理後の受信信号に対して、推定した伝搬路応答を用いて確率伝搬アルゴリズム（ＢＰ：Belief Propagation）を適用することにより、ＩＣＩを考慮した対数尤度比（ＬＬＲ：Log-likelihood ratio）を算出し、ＩＣＩによる劣化を補償する技法である。
【０００８】
しかしながら、当該非特許文献４では、ＤＶＢ−Ｔ２を想定した伝搬路応答を用いて確率伝搬アルゴリズム（ＢＰ）法を適用し、ＱＰＳＫ変調時にＩＣＩを考慮した対数尤度比（ＬＬＲ）を算出する方法について簡易に開示しているが、ＩＣＩ劣化を補償するために利用するＢＰ法を、地上デジタル放送のＩＳＤＢ−Ｔ（非特許文献２）や次世代の地上デジタル放送として変調多値数が多い場合について検討された技法（非特許文献３）に対して適用するには、より具体的且つ実用的な受信装置の構成が要望される。
【０００９】
本発明の目的は、上述の問題を鑑みて為されたものであり、ＢＰ法を用いてＯＦＤＭ信号におけるＩＣＩ劣化を補償する受信装置を提供することにある。
【課題を解決するための手段】
【００１０】
本発明による受信装置は、ＯＦＤＭ信号を伝送するシステムにおいて、送信装置もしくは受信装置の移動に伴うドップラー効果などにより生じるＯＦＤＭのサブキャリア間の干渉（ＩＣＩ）を信号処理により補償する。特に、本発明による受信装置は、復調に用いるシンボル候補点を絞るように構成することで、変調多値数が多い場合でも干渉補償に要する信号処理量を削減することが可能となる。
【００１１】
より具体的には、本発明による受信装置は、事後確率を算出する際に、伝搬路推定情報より推定したキャリアシンボルとの誤差が少ないと考えられるキャリアシンボルを各キャリアで抽出し、抽出したキャリアシンボルのみの組み合わせで事後確率を算出するように構成する。これにより、ＩＣＩ劣化を補償するために利用するＢＰ法を、地上デジタル放送のＩＳＤＢ−Ｔ（非特許文献２）や次世代の地上デジタル放送として変調多値数が多い場合について検討された技法（非特許文献３）に対して適用する際に、より実効力のある実用的な受信装置として構成することができ、更に、例えば、６４ＱＡＭ〜４０９６ＱＡＭなど変調多値数が多い場合でも信号処理によるＩＣＩ補償の計算処理量を削減することができる。
【００１２】
即ち、本発明による一態様の受信装置は、ＯＦＤＭ信号を受信する受信装置であって、ＦＦＴ処理後の受信信号について、当該受信信号に含まれるパイロット信号より伝搬路行列を求めることにより伝搬路を推定する伝搬路推定部と、前記受信信号と前記伝搬路行列からすべてのキャリアシンボルについて確率伝搬アルゴリズム（ＢＰ）法によりキャリア間干渉を考慮した事後確率を算出するＢＰ処理部とを備え、前記ＢＰ処理部は、伝搬路行列により受信信号におけるすべてのキャリアシンボルに対して当該伝搬路推定に基づく事後確率を求めるにあたり、当該すべてのキャリアシンボルの各々の伝搬路推定に基づく期待値として、個々の隣接キャリアに対する干渉成分を考慮して定義された所定の初期値を用いて、すべての隣接キャリアに対する干渉成分を考慮して定義された所定の演算を指定回数で繰り返し行なうことにより、すべての隣接キャリアを考慮した期待値を定め、該期待値についてすべての隣接キャリアを考慮して定義した事後確率をすべてのキャリアシンボルに対して算出するように構成されていることを特徴とする。
【００１３】
更に、本発明による別態様の受信装置は、ＯＦＤＭ信号を受信する受信装置であって、ＦＦＴ処理後の受信信号について、当該受信信号に含まれるパイロット信号より伝搬路行列を求めることにより伝搬路を推定する伝搬路推定部と、前記伝搬路行列により前記受信信号におけるすべてのキャリアシンボルについて当該伝搬路推定に基づく伝搬路推定値とキャリアシンボル値との積に対する距離を定め、前記距離を基にキャリアシンボルを選択する計算キャリアシンボル選択部と、前記受信信号と前記伝搬路行列から当該選択したキャリアシンボルに注目して確率伝搬アルゴリズム（ＢＰ）法によりキャリア間干渉を考慮した事後確率を算出する簡易ＢＰ処理部とを備えることを特徴とする。
【００１４】
また、本発明による別態様の受信装置において、前記簡易ＢＰ処理部は、前記伝搬路行列により前記受信信号における前記選択したキャリアシンボルに注目して当該伝搬路推定に基づく事後確率を求めるにあたり、当該選択したキャリアシンボルの伝搬路推定に基づく期待値として、当該選択したキャリアシンボルに注目して個々の隣接キャリアに対する干渉成分を考慮して定義された所定の初期値を用いて、当該選択したキャリアシンボルに注目してすべての隣接キャリアに対する干渉成分を考慮して定義された所定の演算を指定回数で繰り返し行なうことにより、すべての隣接キャリアを考慮した期待値を定め、該期待値についてすべての隣接キャリアを考慮して定義した事後確率を当該選択したキャリアシンボルに注目したすべてのキャリアシンボルに対して算出するように構成されていることを特徴とする。
【００１５】
また、本発明による別態様の受信装置において、前記計算キャリアシンボル選択部は、前記距離が小さいものから指定した数のキャリアシンボルを選択する手段を有することを特徴とする。
【００１６】
また、本発明による別態様の受信装置において、前記計算キャリアシンボル選択部は、前記距離に対して設けられたしきい値を基に、当該しきい値以下のキャリアシンボルを選択する手段を有することを特徴とする。
【００１７】
また、本発明による別態様の受信装置において、前記計算キャリアシンボル選択部は、前記距離が小さいものから指定した数のキャリアシンボルであり、且つ前記距離に対して設けられたしきい値を基に、当該しきい値以下のキャリアシンボルを選択する手段を有することを特徴とする。
【発明の効果】
【００１８】
本発明によれば、地上デジタル放送のＩＳＤＢ−Ｔや次世代の地上デジタル放送を鑑みて、変調多値数が多い場合でも信号処理によるＩＣＩ補償の計算処理量を抑えることができ、より実効力のある実用的な受信装置を構成することが可能となる。
【図面の簡単な説明】
【００１９】
【図１】本発明による実施例１の受信装置の構成例を示すブロック図である。
【図２】本発明に係るＢＰ法のファクターグラフの例を示す図である。
【図３】本発明による実施例２の受信装置の構成例を示すブロック図である。
【図４】本発明に係る受信信号とキャリアシンボルの関係例を示す図である。
【発明を実施するための形態】
【００２０】
まず、本発明による実施例１の受信装置について説明する。
【００２１】
〔実施例１〕
図１は、本発明による実施例１の受信装置の構成例を示すブロック図である。図１に示す本実施例の受信装置は、ＢＰ法によるＩＣＩ補償を適用した構成例を示しており、伝搬路推定部１、ＢＰ処理部２、デインターリーブ部３、ＬＬＲ算出部４及び誤り訂正部５を備える。また、ＢＰ処理部２は、初期値計算部２１、変数ノード計算部２２、関数ノード計算部２３及び事後確率算出部２４から構成される。尚、本実施例の受信装置は、地上デジタル放送のＩＳＤＢ−Ｔの伝送システムや、次世代の地上デジタル放送を想定した変調多値数が多い場合の伝送システムの送信装置から伝送されたＯＦＤＭ信号の受信を想定しており、ＯＦＤＭ信号の受信処理、直交復調処理、シンボル同期・フレーム同期処理、有効シンボル抽出処理及びＦＦＴ処理などの説明は、既知の信号処理と同様であり、これらの詳細な説明は省略し、本発明に関係する主要な構成要素についてのみ説明する。
【００２２】
実施例１の受信装置において、直交復調後、シンボル同期やフレーム同期、有効シンボル抽出及びＦＦＴ処理を終えたＦＦＴ処理後の受信信号が、伝搬路推定部１とＢＰ処理部２に入力される。
【００２３】
伝搬路推定部１は、当該受信信号に含まれるパイロット信号より伝搬路行列を求めることにより伝搬路を推定し、当該伝搬路行列をＢＰ処理部２に出力する。
【００２４】
ＢＰ処理部２は、受信信号と伝搬路行列からすべてのキャリアシンボルについてＢＰ法によりＩＣＩを考慮した事後確率を算出するための処理部である。このＢＰ処理部２は、伝搬路行列により受信信号におけるすべてのキャリアシンボルに対して当該伝搬路推定に基づく事後確率を求めるにあたり、当該すべてのキャリアシンボルの各々の伝搬路推定に基づく期待値（Ｍｆ→ｘ）として、個々の隣接キャリアに対する干渉成分を考慮して定義された所定の初期値（後述する式（１）に基づく式（２））を用いて、すべての隣接キャリアに対する干渉成分を考慮して定義された所定の演算（後述する式（３）及び式（４））を指定回数で繰り返し行なうことにより、すべての隣接キャリアを考慮した期待値を定め、該期待値についてすべての隣接キャリアを考慮して定義した事後確率（後述する式（５））をすべてのキャリアシンボルに対して算出するように構成される。
【００２５】
より具体的に、隣接キャリアのＩＣＩを考慮した事後確率を算出する場合にＢＰ処理部２で行われる信号処理について、詳細に説明する。尚、当該ＢＰ法に用いるファクターグラフを図２に示している。
【００２６】
まず、初期値計算部２１は、関数ノードから変数ノードへのメッセージの初期値を求める。ｋ番目のキャリアシンボルの初期値Ｍｆ→ｘはキャリアシンボルごとに式（１）を用いて計算し、計算結果を変数ノード計算部２２に出力する。
【００２７】
【数１】
2015115905.tif 000003
【００２８】
式（１）のｙｋはｋ番目のキャリアの受信信号の値、ｈｋ,ｋはｋ番目のキャリアの伝搬路推定値、σ２は雑音分散を示す。ｘｋは、ｋ番目のキャリアのキャリアシンボル値であり、キャリア変調がＱＰＳＫの場合は４種類、６４ＱＡＭの場合は６４種類の値をとる。
【００２９】
変数ノード計算部２２は、変数ノードから関数ノードへのメッセージ（変数ノード計算値）Ｍｘ→ｆを式（２）により計算し、この計算結果を、指定回数で繰り返し演算するために関数ノード計算部２３に出力し、当該繰り返し演算後に、事後確率算出部２４に出力する。
【００３０】
【数２】
2015115905.tif 000004
【００３１】
2015115905.tif 000005
【００３２】
関数ノード計算部２３は、関数ノード計算値Ｍｆ→ｘ（ｘ）を式（３）及び式（４）により計算する。
【００３３】
【数３】
2015115905.tif 000006
【００３４】
【数４】
2015115905.tif 000007
【００３５】
2015115905.tif 000008
【００３６】
したがって、キャリア変調がＱＰＳＫの場合、隣接キャリアのキャリアシンボルｘｋ−１とｘｋ＋１は４種類ずつあることから関数ｆは４×４＝１６個となり、その和を求めることになる。同様に６４ＱＡＭの場合、６４×６４＝４０９６個の関数ｆの和を求める。
【００３７】
この変数ノード計算と関数ノード計算を、指定回数繰り返した後、変数ノード計算部２２は、その計算結果を事後確率算出部２４に出力する。
【００３８】
事後確率算出部２４は、式（５）により事後確率ＡＰＰを求め、事後確率を算出後の受信信号（シンボル）をデインターリーブ部３に出力する。
【００３９】
【数５】
2015115905.tif 000009
【００４０】
デインターリーブ部３は、事後確率を算出後の受信信号に対して、送信側のインターリーブ処理に対応するデインターリーブ処理を施し、ＬＬＲ算出部４に出力する。
【００４１】
ＬＬＲ算出部４は、事後確率を算出後の受信信号（シンボル）に対して送信側の変調方式に対応する対数尤度比（ＬＬＲ）を算出し、最も尤もらしい信号（符号語列）を決定し、誤り訂正部５に出力する。したがって、このＬＬＲ算出部４により、ＩＣＩを考慮したＬＬＲが算出されることになる。
【００４２】
誤り訂正部５は、当該符号語列に対して、送信側の誤り訂正符号化に対応する誤り訂正復号処理を施し、復調信号として外部に出力する。
【００４３】
これにより、実施例１の受信装置は、ＯＦＤＭ信号を伝送するシステムにおいて、送信装置もしくは受信装置の移動に伴うドップラー効果などにより生じるＯＦＤＭのサブキャリア間の干渉（ＩＣＩ）を信号処理により補償することが可能となる。
【００４４】
ただし、実施例１の受信装置では、キャリア間隔が狭い場合でもＩＣＩ補償ができるものの、変調多値数を大きくすると、関数ノード計算において２Ｍ個（Ｍ：変調多値数）の関数ｆの加算を行わなくてはならず、計算量が膨大になるという問題がある。
【００４５】
そこで、この問題を解決するために、実施例２の受信装置について説明する。
【００４６】
〔実施例２〕
図３は、本発明による実施例２の受信装置の構成例を示すブロック図である。図２に示す本実施例の受信装置は、実施例１と同様に、ＢＰ法によるＩＣＩ補償を適用した構成例を示しており、地上デジタル放送のＩＳＤＢ−Ｔの伝送システムや、次世代の地上デジタル放送を想定した変調多値数が多い場合の伝送システムの送信装置から伝送されたＯＦＤＭ信号の受信を想定しており、ＯＦＤＭ信号の受信処理、直交復調処理、シンボル同期・フレーム同期処理、有効シンボル抽出処理及びＦＦＴ処理などの説明は、既知の信号処理と同様であり、これらの詳細な説明は省略し、本発明に関係する主要な構成要素についてのみ説明する。尚、図３は、図１と同様な構成要素には同一の参照番号を付している。
【００４７】
実施例２の受信装置は、伝搬路推定部１、簡易ＢＰ処理部７、デインターリーブ部３、ＬＬＲ算出部４、誤り訂正部５及び計算キャリアシンボル選択部６を備える。また、簡易ＢＰ処理部７は、初期値計算部７１、変数ノード計算部７２、関数ノード計算部７３及び事後確率算出部７４から構成される。実施例２の受信装置は、実施例１と比較して、計算キャリアシンボル選択部６を更に備え、ＢＰ処理部２の代わりに簡易ＢＰ処理部７を備える点で相違する。したがって、伝搬路推定部１、デインターリーブ部３、ＬＬＲ算出部４及び誤り訂正部５の機能は、実施例１と同様であり、以下、実施例２に関係する主要な構成要素について主に説明する。
【００４８】
図３に示す実施例２の受信装置において、ＦＦＴ処理後の受信信号は、伝搬路推定部１、計算キャリアシンボル選択部６及び簡易ＢＰ処理部７に入力される。
【００４９】
伝搬路推定部１は、実施例１と同様に、受信信号に含まれるパイロット信号より伝搬路行列を求め、計算キャリアシンボル選択部６及び簡易ＢＰ処理部７に出力する。
【００５０】
計算キャリアシンボル選択部６は、伝搬路行列と受信信号から簡易ＢＰ処理部７で用いるキャリアシンボルを選択し、簡易ＢＰ処理部７に出力する。即ち、計算キャリアシンボル選択部６は、伝搬路行列により受信信号におけるすべてのキャリアシンボルについて当該伝搬路推定に基づく伝搬路推定値とキャリアシンボル値との積に対する距離を定め、この距離を基にキャリアシンボルを選択する。これによって、伝搬路推定情報より推定したキャリアシンボルとの誤差が少ないと考えられるキャリアシンボルを選定する。本実施例では、この距離を基にキャリアシンボルを選択するにあたり、予めＢＰ法の計算に用いるキャリアシンボルの数を指定する（ｐ個とする）。
【００５１】
より具体的には、計算キャリアシンボル選択部６は、式（６）によりキャリアごとに受信信号ｙｋとすべてのキャリアシンボルｘｋ（ｍ）との距離の２乗であるｄｋ（ｍ）（ｍ＝０〜２Ｍ−１、Ｍ：変調多値数）を求める。図４に、６４ＱＡＭの場合の受信信号とキャリアシンボルの関係を示す。ただし、本例では、式（６）に示すように、ｄｋ（ｍ）について、ｙｋとｈｋ,ｋｘｋ（ｍ）との距離の２乗で規定する例とするが、例えば、ｄｋ（ｍ）についてｙｋとｈｋ,ｋｘｋ（ｍ）との間のユークリッド距離とすることや、距離を求めるために２乗平均を行うなど、ｙｋとｈｋ,ｋｘｋ（ｍ）との間の距離を規定する関数であれば如何なる態様でも規定することができる。
【００５２】
【数６】
2015115905.tif 000010
【００５３】
本実施例では、計算キャリアシンボル選択部６は、ｄｋ（ｍ）が小さいものから指定した数のキャリアシンボルｘｋ（ｍ０）〜ｘｋ（ｍＰ−１）を選択する。
【００５４】
簡易ＢＰ処理部７は、受信信号と伝搬路行列から、計算キャリアシンボル選択部６によって選択したキャリアシンボルｘｋ（ｍ０）〜ｘｋ（ｍＰ−１）に注目してＢＰ法によりＩＣＩを考慮した事後確率を算出するための処理部である。この簡易ＢＰ処理部７は、伝搬路行列により受信信号における当該選択したキャリアシンボルに注目して当該伝搬路推定に基づく事後確率を求めるにあたり、当該選択したキャリアシンボルの伝搬路推定に基づく期待値（Ｍｆ→ｘ）として、当該選択したキャリアシンボルに注目して個々の隣接キャリアに対する干渉成分を考慮して定義された所定の初期値（式（１）に基づく式（２））を用いて、当該選択したキャリアシンボルに注目してすべての隣接キャリアに対する干渉成分を考慮して定義された所定の演算（式（３）及び式（４））を指定回数で繰り返し行なうことにより、すべての隣接キャリアを考慮した期待値を定め、該期待値についてすべての隣接キャリアを考慮して定義した事後確率（式（５））を当該選択したキャリアシンボルに注目したすべてのキャリアシンボルに対して算出するように構成される。
【００５５】
簡易ＢＰ処理部７で行われる信号処理について、詳細に説明する。
【００５６】
初期値計算部７１は、計算キャリアシンボル選択部６で選択したキャリアシンボルｘｋ（ｍ０）〜ｘｋ（ｍＰ−１）に対応する受信信号について、式（１）により初期値を求める。その他のキャリアシンボルに対する初期値には、予め設定した十分に小さい値（例えば、当該選択したキャリアシンボルの初期値の平均値に対して、１／１０５以下の値）を代入することで、実質的に当該選択したキャリアシンボルのみを計算対象とすることができ、全体的な計算処理量を減らすことができる。
【００５７】
変数ノード計算部７２は、実施例１と同様に、式（２）により変数ノード計算値を求める。
【００５８】
また、関数ノード計算部７３は、実施例１と同様に、式（３）により関数ノード計算値を求める。ただし、その中で関数ｆの和を求める際に、計算キャリアシンボル選択部６で求めたキャリアシンボルｘｋ−１（ｍ０）〜ｘｋ−１（ｍＰ−１），ｘｋ＋１（ｍ０）〜ｘｋ＋１（ｍＰ−１）では式（４）を用い、その他のキャリアシンボルについては当該予め設定した十分に小さい値をｆの値として代入する。こうすることで、式（４）の計算回数は２Ｍ回から２Ｐ回に減らすことができる。例えば、６４ＱＡＭでｐ＝２とすれば、式（４）の計算回数は６４回から４回となる。
【００５９】
事後確率計算部７４は、実施例１と同様に、式（５）により事後確率を求める。
【００６０】
このように、簡易ＢＰ処理部７で求めた事後確率を算出後の受信信号（シンボル）は、実施例１と同様に、デインターリーブ部３でデインターリーブ処理が施され、ＬＬＲ算出部４でＬＬＲを算出し、誤り訂正部５で誤り訂正処理が施される。
【００６１】
これにより、実施例１の受信装置は、ＯＦＤＭ信号を伝送するシステムにおいて、送信装置もしくは受信装置の移動に伴うドップラー効果などにより生じるＯＦＤＭのサブキャリア間の干渉（ＩＣＩ）を信号処理により補償することが可能となるだけでなく、地上デジタル放送のＩＳＤＢ−Ｔや次世代の地上デジタル放送を鑑みて、変調多値数が多い場合でも信号処理によるＩＣＩ補償の計算処理量を抑えることができ、より実効力のある実用的な受信装置を構成することが可能となる。
【００６２】
次に、実施例１の受信装置における計算量が膨大になるという問題を解決する、その他の実施例として、実施例３，４を説明する。
【００６３】
〔実施例３〕
実施例３の受信装置の構成は、実施例２と同様の構成要素からなる。ただし、計算キャリアシンボル選択部６でのキャリアシンボルの選択方法が相違する。実施例３では、予め計算シンボルの数をｐ個として指定する代わりに、ｙｋとｈｋ,ｋｘｋ（ｍ）との距離を規定するｄｋ（ｍ）（例えば式（６））にしきい値を設け、しきい値以下のキャリアシンボルを選択するように構成する。これにより、実施例２と同様な効果を得ることが可能である。
【００６４】
〔実施例４〕
実施例３の受信装置の構成は、実施例２と同様の構成要素からなる。ただし、計算キャリアシンボル選択部６でのキャリアシンボルの選択方法が相違する。実施例４では、キャリアシンボル選択方法について、実施例２，３を組み合わせた構成、即ち、予め計算シンボルの数をｐ個として指定するとともに、ｙｋとｈｋ,ｋｘｋ（ｍ）との距離を規定するｄｋ（ｍ）にしきい値を設け、しきい値以下のキャリアシンボルを選択するように構成する。これにより、実施例２と同様な効果を得ることが可能である。
【００６５】
以上、特定の実施例を挙げて本発明を説明したが、本発明は前述の各実施例に限定されるものではなく、その技術思想を逸脱しない範囲で種々変形可能である。例えば、６４ＱＡＭの例を代表的に説明したが、変調多値数Ｍ＞１の任意の変調方式に対して各実施例の構成を適用することができる。
【産業上の利用可能性】
【００６６】
本発明の受信装置は、送信装置もしくは受信装置の移動に伴うドップラー効果などにより生じるＯＦＤＭのサブキャリア間の干渉（ＩＣＩ）を信号処理により補償することが可能となるだけでなく、地上デジタル放送のＩＳＤＢ−Ｔや次世代の地上デジタル放送を鑑みて、変調多値数が多い場合でも信号処理によるＩＣＩ補償の計算処理量を抑えることができ、より実効力のある実用的な受信装置を構成することが可能となるので、キャリア間干渉（ＩＣＩ）が生じうる伝送システムの用途に有用である。
【符号の説明】
【００６７】
１  伝搬路推定部
２  ＢＰ処理部
３  デインターリーブ部
４  ＬＬＲ算出部
５  誤り訂正部
６  計算キャリアシンボル選択部
７  簡易ＢＰ処理部
２１  初期値計算部
２２  変数ノード計算部
２３  関数ノード計算部
２４  事後確率算出部
７１  初期値計算部
７２  変数ノード計算部
７３  関数ノード計算部
７４  事後確率算出部
【図１】
2015115905.tif 000011
【図２】
2015115905.tif 000012
【図３】
2015115905.tif 000013
【図４】
2015115905.tif 000014